(57)【要約】【課題】記憶媒体に記録されているコンテンツデータに関するメタデータを，記憶媒体上に直接かつ容易に表示することが可能な情報処理装置等を提供すること。【解決手段】コンテンツデータとそのコンテンツデータに関連するメタデータが記憶された記憶媒体を取り扱う情報処理装置が提供される。この情報処理装置は，記憶媒体の表面には情報表示領域が形成されており；記憶媒体に記憶されたメタデータから情報表示領域に表示させたい表示対象データを抽出する，抽出部と；表示対象データを情報表示領域に表示させる，ライト部と；を備えることを特徴とする。かかる構成により，情報処理装置は，記憶媒体の表面に，当該記憶媒体内に記憶されているメタデータの少なくとも一部を直接的かつ容易に表示させることができる。【選択図】  図３
2004280928.tif 000002
【特許請求の範囲】
【請求項１】
コンテンツデータとそのコンテンツデータに関連するメタデータが記憶された記憶媒体を取り扱う情報処理装置であって：
前記記憶媒体の表面には情報表示領域が形成されており，
前記記憶媒体に記憶された前記メタデータから前記情報表示領域に表示させたい表示対象データを抽出する，抽出部と；
前記表示対象データを前記情報表示領域に表示させる，ライト部と；
を備えることを特徴とする，情報処理装置。
【請求項２】
前記情報表示領域は書き換え可能であることを特徴とする，請求項１に記載の情報処理装置。
【請求項３】
前記情報表示領域は交換可能であることを特徴とする，請求項１に記載の情報処理装置。
【請求項４】
前記情報表示領域は，リライトシートで構成されることを特徴とする，請求項２に記載の情報処理装置。
【請求項５】
前記ライト部は，前記表示対象データの少なくとも一部をコード化して，前記情報表示領域に表示させることを特徴とする，請求項１に記載の情報処理装置。
【請求項６】
前記情報処理装置は，前記コンテンツデータの処理に応じて，前記メタデータを編集するメタデータ編集部を備え，
前記抽出部は，前記編集されたメタデータからも前記表示対象データを抽出することを特徴とする，請求項１に記載の情報処理装置。
【請求項７】
前記コンテンツデータは，少なくとも映像コンテンツデータを含み；
前記ライト部は，前記メタデータに基づいて前記映像コンテンツデータから抽出したサムネール画像データを，前記情報表示領域に表示させることを特徴とする，請求項１に記載の情報処理装置。
【請求項８】
情報処理装置によって読み書きされる記憶媒体であって：
少なくとも，コンテンツデータと，前記コンテンツデータに関連するメタデータとを記憶し，
表面には情報表示領域が形成されており，
前記情報処理装置によって，前記情報表示領域に，前記メタデータから抽出された表示対象データが表示されることを特徴とする，記憶媒体。
【請求項９】
前記情報表示領域は書き換え可能であることを特徴とする，請求項８に記載の記憶媒体。
【請求項１０】
前記情報表示領域は交換可能であることを特徴とする，請求項８に記載の記憶媒体。
【請求項１１】
前記情報表示領域は，リライトシートで構成されることを特徴とする，請求項９に記載の記憶媒体。
【請求項１２】
コンテンツデータとそのコンテンツデータに関連するメタデータが記憶された記憶媒体の表面に，前記メタデータを表示するメタデータ表示方法であって：
前記記憶媒体の表面には情報表示領域が形成されており，
前記記憶媒体を取り扱う情報処理装置によって，前記記憶媒体に記憶された前記メタデータから前記情報表示領域に表示させたい表示対象データを抽出し，前記抽出した表示対象データを前記情報表示領域に表示させることを特徴とする，メタデータ表示方法。
【請求項１３】
前記情報表示領域は書き換え可能であることを特徴とする，請求項１２に記載のメタデータ表示方法。
【請求項１４】
前記情報表示領域は交換可能であることを特徴とする，請求項１２に記載のメタデータ表示方法。
【請求項１５】
前記情報表示領域は，リライトシートで構成されることを特徴とする，請求項１３に記載のメタデータ表示方法。
【請求項１６】
前記抽出した表示対象データの少なくとも一部をコード化して，前記情報表示領域に表示させることを特徴とする，請求項１２に記載のメタデータ表示方法。
【請求項１７】
前記情報処理装置によって編集されたメタデータからも前記表示対象データを抽出することを特徴とする，請求項１２に記載のメタデータ表示方法。
【請求項１８】
前記コンテンツデータは，少なくとも映像コンテンツデータを含み；
前記メタデータに基づいて前記映像コンテンツデータから抽出したサムネール画像データを，前記情報表示領域に表示させることを特徴とする，請求項１２に記載のメタデータ表示方法。
【発明の詳細な説明】
【０００１】
【発明の属する技術分野】
本発明は，情報処理装置，記憶媒体およびメタデータ表示方法に関する。
【０００２】
【従来の技術】
近年，様々な分野で，情報処理装置が取り扱う各種のコンテンツデータに関するメタデータの利用が進んできている。特に，ＴＶ番組やビデオコンテンツなどの映像作品の制作分野では，撮影した映像素材（映像コンテンツデータ）に関するメタデータの有効活用が急速に進められている。この映像素材に関するメタデータは，例えば，タイトル名，撮影者，撮影日時などの映像素材の属性を表す情報であり，この映像素材が記録された記憶媒体（光ディスクやビデオテープ等のリムーバブル記録メディア）を識別・管理する上で有用な情報である。
【０００３】
このため，従来では，撮影した映像素材に関するメタデータを，例えば紙製のラベル上に手書きで表示し，このラベルを記憶媒体に貼り付けることによって，記憶媒体を管理していた。さらに，これと同時に，かかる手書きされたメタデータをコンピュータ入力してデータベース化することも成されていた。
【０００４】
また，別の管理手法としては，上記メタデータをデータベース化した上で，当該メタデータをバーコード表示したラベルを記憶媒体に貼り付ける，或いは，当該メタデータを記録したＩＣメモリ等を記憶媒体に取り付けることによって，記憶媒体を管理することもあった（特許文献１参照）。
【０００５】
【特許文献１】
特開２００２−２５２２８号公報
【０００６】
【発明が解決しようとする課題】
しかしながら，上記従来のような，手書きのラベルを貼り付けて記憶媒体を管理する手法では，メタデータを記載するために時間と手間を要するとともに，書き間違えが生ずるおそれもあるという問題があった。さらに，この手書きのメタデータをデータベース化して管理するためには，別途入力作業等が必要となるので，煩雑であるだけでなく，入力ミスが発生するという問題もあった。
【０００７】
一方，バーコード表示，ＩＣメモリ等により記録メディアを管理する手法では，記憶媒体に記録されている映像素材のメタデータを確認する際には，バーコード用またはＩＣメモリ用のリーダー装置が別途必要であり，記憶媒体のコンテンツ情報を直接，視認できないので非常に不便であるという問題があった。
【０００８】
また，メタデータを視認可能とするために，バーコード用またはＩＣメモリ用のデータベースから読み出したメタデータを，ラベルなどに印字して記憶媒体に貼り付けたとしても，メタデータの更新時には，古いラベルを剥離して，新しいラベルに張り替える必要があるので，非常に煩雑であった。
【０００９】
本発明は，上記問題点に鑑みてなされたものであり，本発明の目的は，記憶媒体に記録されているコンテンツデータに関するメタデータを，記憶媒体上に直接かつ容易に表示できるとともに，このメタデータの表示を容易に更新することが可能な，新規かつ改良された情報処理装置等を提供することにある。
【００１０】
【課題を解決するための手段】
＜情報処理装置＞
上記課題を解決するため，本発明の第１の観点によれば，コンテンツデータとそのコンテンツデータに関連するメタデータが記憶された記憶媒体を取り扱う情報処理装置が提供される。この情報処理装置は，記憶媒体の表面には情報表示領域が形成されており；記憶媒体に記憶されたメタデータから情報表示領域に表示させたい表示対象データを抽出する，抽出部と；表示対象データを情報表示領域に表示させる，ライト部と；を備えることを特徴とする。
【００１１】
かかる構成により，抽出部は，ローディングされた記憶媒体に記録されているメタデータを読み出して，その少なくとも一部を表示対象データとして抽出することができる。また，ライト部は，上記抽出部によって抽出された表示対象データを情報表示領域に印字するなどして，表示させることができる。この結果，記憶媒体の表面には，当該記憶媒体内に記憶されているメタデータの少なくとも一部が直接表示される。このように，情報処理装置は，当該記憶媒体が記録しているコンテンツデータに対応するメタデータを，当該記憶媒体の表面に，直接的かつ容易に表示させることができる。なお，抽出部は，記憶媒体に記憶されたメタデータの全部または一部を表示対象データとして抽出できるものとする。
【００１２】
また，上記情報表示領域は書き換え可能である，ように構成すれば，記憶媒体内のメタデータが更新された場合であっても，当該更新に対応して情報表示領域の表示内容を書き直すことができる。
【００１３】
また，上記情報表示領域は交換可能である，ように構成すれば，情報表示領域の寿命，破損などに応じて，情報表示領域を交換できるので，記憶媒体表面上へのメタデータ表示を継続して行うことができる。
【００１４】
また，上記情報表示領域は，リライトシートで構成される，ように構成すれば，好適にメタデータを表示し，さらに，書き換えることができる。さらに，上記リライトシートは，サーモリライトシートである，ように構成すれば，表示されたメタデータを好適かつ容易に書き換えることができる。
【００１５】
また，上記ライト部は，表示対象データの少なくとも一部をコード化して，情報表示領域に表示させる，ように構成すれば，記憶媒体の表面上に機械的に読み取り可能なバーコート情報なども表示させることができる。
【００１６】
また，上記情報処理装置は，コンテンツデータの処理に応じて，メタデータを編集するメタデータ編集部を備え；抽出部は，編集されたメタデータからも表示対象データを抽出する，ように構成すれば，情報処理装置内で新規生成されたメタデータ，または記憶媒体内に記憶されているメタデータを更新したメタデータなども，記憶媒体の表面上に表示させることができる。
【００１７】
また，上記コンテンツデータは，少なくとも映像コンテンツデータを含み；ライト部は，メタデータに基づいて映像コンテンツデータから抽出したサムネール画像データを情報表示領域に表示させる，ように構成すれば，記憶媒体内に記録されている映像コンテンツデータの代表的な静止画像であるサムネール画像を，記憶媒体の表面上に表示させることができる。
【００１８】
また，上記抽出部は，ユーザ入力に基づいて表示対象データを抽出する，ように構成すれば，ユーザが所望するメタデータを記憶媒体の表面上に表示させることができる。
【００１９】
また，上記抽出部は，予め設定された抽出条件に基づいて，表示対象データを自動的に抽出する，ように構成すれば，記憶媒体内に記録されているメタデータを，記憶媒体の表面上に自動的に表示させることができる。
【００２０】
＜記憶媒体＞
また，上記課題を解決するため，本発明の別の観点によれば，情報処理装置によって読み書きされる記憶媒体が提供される。この記憶媒体は，少なくとも，コンテンツデータと，コンテンツデータに関連するメタデータとを記憶し；表面には情報表示領域が形成されており；情報処理装置によって，情報表示領域に，メタデータから抽出された表示対象データが表示されることを特徴とする。
【００２１】
かかる構成により，情報処理装置によって，記憶媒体に記録されているメタデータが読み出され，その少なくとも一部が表示対象データとして抽出される。さらに，情報処理装置によって，上記抽出された表示対象データが情報表示領域に印字されるなどして，記憶媒体の表面上に表示される。これにより，記憶媒体は，情報処理装置に取り扱われることによって，自身の記憶するコンテンツデータに対応するメタデータを，その表面上に表示することができる。
【００２２】
また，上記情報表示領域は書き換え可能である，ように構成すれば，記憶媒体内のメタデータが更新された場合であっても，当該更新に対応して情報表示領域の表示内容を書き直すことができる。
【００２３】
また，上記情報表示領域は交換可能である，ように構成すれば，情報表示領域の寿命，破損などに応じて，情報表示領域を交換できるので，記憶媒体表面上へのメタデータ表示を継続して行うことができる。
【００２４】
また，上記情報表示領域は，リライトシートで構成される，ように構成すれば，好適にメタデータを表示し，さらに，書き換えることができる。さらに，上記リライトシートは，サーモリライトシートである，ように構成すれば，表示されたメタデータを好適かつ容易に書き換えることができる。
【００２５】
＜メタデータ表示方法＞
また，上記課題を解決するため，本発明の別の観点によれば，コンテンツデータとそのコンテンツデータに関連するメタデータが記憶された記憶媒体の表面に，メタデータを表示するメタデータ表示方法が提供される。このメタデータ表示方法は，記憶媒体の表面には情報表示領域が形成されており；記憶媒体を取り扱う情報処理装置によって，記憶媒体に記憶されたメタデータから情報表示領域に表示させたい表示対象データを抽出し，抽出した表示対象データを情報表示領域に表示させることを特徴とする。
【００２６】
かかる構成により，情報処理装置が，ローディングされた記憶媒体に記録されているメタデータを読み出して，その少なくとも一部を表示対象データとして抽出し，上記抽出部によって抽出された表示対象データを情報表示領域に印字するなどして，表示させることができる。この結果，記憶媒体の表面には，当該記憶媒体内に記憶されているメタデータの少なくとも一部が直接表示される。これにより，当該記憶媒体が記録しているコンテンツデータに対応するメタデータを，当該記憶媒体の表面に，直接かつ容易に表示させることができる。なお，表示対象データは，記憶媒体に記憶されたメタデータの全部または一部が抽出されたものとする。
【００２７】
また，上記情報表示領域は書き換え可能である，ように構成してもよい。また，上記情報表示領域は交換可能である，ように構成してもよい。また，上記情報表示領域は，リライトシートで構成される，ように構成してもよい。また，上記抽出した表示対象データの少なくとも一部をコード化して，情報表示領域に表示させる，ように構成してもよい。
【００２８】
また，上記情報処理装置によって編集されたメタデータからも表示対象データを抽出する，ように構成してもよい。
【００２９】
また，上記コンテンツデータは，少なくとも映像コンテンツデータを含み；メタデータに基づいて映像コンテンツデータから抽出したサムネール画像データを，情報表示領域に表示させる，ように構成してもよい。
【００３０】
【発明の実施の形態】
以下に添付図面を参照しながら，本発明の好適な実施の形態について詳細に説明する。なお，本明細書及び図面において，実質的に同一の機能構成を有する構成要素については，同一の符号を付することにより重複説明を省略する。
【００３１】
（第１の実施の形態）
以下に，本発明の第１の実施の形態にかかる情報処理装置，記憶媒体およびメタデータ表示方法等について説明する。以下では，本実施形態にかかる情報処理装置が，例えば，映像コンテンツデータを記録再生する記録再生装置として構成され，また，本実施形態にかかる記憶媒体が，上記記録再生装置が読み書き可能な光ディスクとして構成された例について説明するが，かかる例に限定されるものではない。
【００３２】
本実施形態にかかる記録再生装置は，映像コンテンツデータと共に光ディスクに記録されているメタデータを読み出し，この読み出したメタデータを，光ディスクの表面に形成された情報表示領域に印字して表示できることを特徴とする。以下の説明では，まず，かかる記録再生装置が用いられるシステム環境の例を概略的に説明した上で，上記特徴を実現するための記憶媒体および記録再生装置の構成について詳細に説明し，さらに，これらを用いたメタデータ表示方法について説明するものとする。
【００３３】
＜１．システム環境＞
まず，本実施形態にかかる映像プログラム制作支援システムの概要について説明する。
【００３４】
映像プログラム制作支援システムは，例えば，テレビ放送局や，ビデオコンテンツ，映画等の制作会社などに設けられ，ＴＶ番組，ビデオコンテンツ，映画などの映像作品である映像プログラムを制作するためのシステムである。この映像プログラム制作支援システムでは，システムを構成する端末装置間で，例えば，光ディスクまたはメモリーカード等の記憶媒体を介して，各種のメタデータおよび映像コンテンツデータなどを相互にやり取りすることができる。
【００３５】
この映像コンテンツデータは，映像プログラムを構成する映像データ及び／又は音声データであって，例えば，ＴＶ番組，映画等の動画像データなどといったコンテンツデータである。なお，この映像コンテンツデータには，上記以外にも，図画，写真または絵画などの静止画像データ，ラジオ番組などの音声データなどを含むようにしてもよい。
【００３６】
また，メタデータは，例えば，上記映像コンテンツデータに関する上位データであり，映像コンテンツデータの属性や概要を表すインデックス情報などとして機能するデータである。このメタデータは，例えば，ＵＭＩＤ，構成表メタデータ，文字，図形，数字，バーコード，代表的な静止画など，記憶媒体を検索，編集，管理するために必要となる全てのインデックス情報を含む。
【００３７】
次に，図１に基づいて，本実施形態にかかる映像プログラム制作支援システムの構成について説明する。なお，図１は，本実施形態にかかる映像プログラム制作支援システムの概略的な構成を示すブロック図である。
【００３８】
図１に示すように，本実施形態にかかる映像プログラム制作支援システム１は，例えば，企画用端末装置１０と，撮像装置４０およびフィールドＰＣ／ＰＤＡ（以下，フィールドＰＣという。）５０などからなる取材用端末装置２０と，記録再生装置１００を備えた編集用端末装置３０と，から主に構成されている。
【００３９】
この企画用端末装置１０，取材用端末装置２０，編集用端末装置３０は，例えば，映像プログラムの制作を分担する複数の部署のうち，それぞれ，企画構成部署，取材部署，編集部署などによって利用される端末装置である。
【００４０】
企画用端末装置１０は，例えば，パーソナルコンピュータなどの情報処理装置及びその周辺装置などで構成されており，企画構成部署に設けられる。この企画構成部署は，映像プログラムの制作全体を統括する部署であって，制作する映像プログラムの企画・構想を行ってシナリオを作成するとともに，取材部署および編集部署等の他部署に制作作業内容を指示する部署である。企画用端末装置１０は，この企画構成部署担当者の入力などに基づいて，映像プログラムの制作内容の指示等に関するメタデータ（以下では，制作指示メタデータという。）を生成することができる。
【００４１】
この制作指示メタデータは，例えば，映像プログラム全体についてのＩＤ，タイトルや，映像プログラムを構成する各取材・シーン等についての，ＩＤ，タイトル，担当レポーターの指定，担当カメラマンの指定，取材場所，取材日時，取材内容の指示情報などである。
【００４２】
また，企画用端末装置１０は，例えば，光ディスク６０やメモリーカード７０などの記憶媒体に対して，上記制作指示メタデータなどの各種データを読み書き可能な記録再生装置１２を備えている。このため，企画用端末装置１０は，例えば，上記のように生成した制作指示メタデータを，例えば，光ディスク６０やメモリーカード７０などの記憶媒体を介して，取材用端末装置２０および編集用端末装置３０等に提供することができる。このようにして，企画用端末装置１０が例えば制作指示メタデータを取材用端末装置２０等に提供することにより，企画構成部署は，取材部署などに対してシナリオに沿った取材・撮影すべき場面や内容等を指示することができる。なお，かかる制作指示メタデータ等の提供は，例えば，企画用端末装置１０，取材用端末装置２０および編集用端末装置３０等を相互に接続するネットワーク（図示せず。）を介した送信によってなされてもよい。
【００４３】
また，取材用端末装置２０は，取材部署によって利用される端末装置群であり，例えば，撮像装置４０とフィールドＰＣ５０などから構成される。この取材部署は，例えば，上記企画構成部署による制作指示に従って，制作現場で実際に取材を行う部署であって，映像プログラムを構成する各場面の映像を撮影するとともに，撮影状況を取材する部署である。
【００４４】
撮像装置４０は，例えば，カムコーダなどのビデオカメラであり，放送用のニュース番組の取材や，スポーツなどの試合の模様，映画などの映像コンテンツの撮影に使用される装置である。
【００４５】
この撮像装置４０は，例えば，上記企画用端末装置１０から取得した制作指示メタデータを所定の表示部（図示せず。）に表示して，カメラマン等の取材スタッフに撮影・取材すべき内容を認識させることができる。
【００４６】
また，撮像装置４０は，例えば，上記制作指示メタデータに基づいて，映像プログラムを構成する各場面を撮影し，撮影した場面に対応する映像コンテンツデータを，光ディスク６０に記録することができる。このような撮像装置４０を用いた撮影処理は，例えば，テイクを複数回繰り返すことによって，進行していく。例えば，撮像装置４０は，ある場面について１または２回以上のテイクを行い，次いで，異なる場面についてさらに１または２回以上のテイクを行う。なお，このテイクとは，撮像装置４０による１回の記録開始から終了に至るまでの連続した撮影処理をいう。よって，撮像装置４０は，このテイクごとに，上記映像コンテンツデータを記録することができる。
【００４７】
さらに，この撮像装置４０は，例えば，撮影時における撮影条件情報などに関する撮影条件メタデータや，映像コンテンツデータ内の特徴的なシーンの位置を表す電子マークメタデータ，映像コンテンツデータを識別するためのコンテンツ識別メタデータなどを生成することも可能である。
【００４８】
この撮影条件メタデータは，例えば，撮影時間，撮影場所の経度・緯度情報，撮像装置４０の機器番号，撮影装置４０の設定情報（絞り，フィルタの種類，ホワイトバランス，ゲイン，ＤＣＣ等）などである。また，制作指示メタデータの更新，編集内容としては，例えば，実際に取材を担当したカメラマン，レポーター名への変更，実際の撮影の追加，実際に撮影したテイクの映像コンテンツデータとシナリオとの関連付け情報の追加，テイク番号の追加，各テイクのＯＫ／ＮＧ情報の追加，などである。
【００４９】
また，電子マークメタデータは，例えば，１つのテイクの映像コンテンツデータ内における代表的な静止画像（サムネール画像）や，映像内の特徴的なシーンなどのインデックスを表すメタデータである。この電子マークメタデータとしては，例えば，記録開始位置を表す撮影開始マーク，記録終了位置を表す撮影終了マーク，撮影中にカメラマン等によってグッドまたはバッドショットなどとして指定された注目すべき映像シーンの位置などを表すショットマーク，映像シーン内で記者団などのカメラのフラッシュが多く検出された位置であるフラッシュマーク，撮像装置４０が撮像条件変更した位置を表す撮像条件変更マーク，オーディオ（音声）出力レベルが限界値を超えた位置を表す大音量マーク，などがある。これらの電子マークデータは，例えば，タイムコード情報として記録される。
【００５０】
また，コンテンツ識別メタデータは，例えば，ＵＭＩＤ，テイク番号，映像コンテンツデータのファイル名，実際に撮影したテイクの映像コンテンツデータと企画されたシナリオ（制作指示メタデータ）との関連付けデータ，各テイクのＯＫ／ＮＧ情報などである。
【００５１】
一方，フィールドＰＣ５０は，例えば，ノート型のパーソナルコンピュータまたはＰＤＡ（ｐｅｒｓｏｎａｌ  ｄｉｇｉｔａｌ  ａｓｓｉｓｔａｎｔ）などの携帯可能なコンピュータ及びその周辺装置などで構成される。このフィールドＰＣ５０は，例えば，上記撮像装置４０と各種の有線または無線回線などで接続可能であり，撮像装置４０との間でメタデータや映像コンテンツデータ等を共有することができる。
【００５２】
このフィールドＰＣ５０は，例えば，上記企画用端末装置１０または撮像装置４０などの他の機器から，メモリーカード７０等の記憶媒体を介して各種のメタデータを取得することができる。フィールドＰＣ５０は，例えば，取得した制作指示メタデータを所定の表示部に表示して，取材部署担当者に制作指示メタデータの内容を認識させることができる。また，フィールドＰＣ５０は，例えば，取材部署担当者の入力に基づいて，取材状況等に関する取材メモ情報などからなる取材状況メタデータを生成したり，企画用端末装置１０または撮像装置４０から取得した制作指示メタデータまたは撮影条件メタデータを，更新・編集したりすることができる。
【００５３】
具体的には，取材状況メタデータは，例えば，取材部署担当者によって入力された取材状況に関するメモ情報などであり，より具体的には，撮影時において，取材担当者が気づいた連絡事項，注意事項および提案事項，撮影場面の特徴および印象，撮影作業で発生した事項，映像コンテンツデータに関する捕捉説明事項などである。また，制作指示メタデータの更新・編集内容としては，例えば，実際に取材を担当したカメラマン，レポーター名への更新，実際の撮影日時・場所の追加若しくは更新などである。
【００５４】
このようにフィールドＰＣ５０によって生成若しくは編集されたメタデータは，撮像装置４０に提供される。撮像装置４０は，このフィールドＰＣ５０からのメタデータと，自身で生成したメタデータあるいは企画用端末装置から取得したメタデータとの同期をとることができる。さらに，撮像装置４０は，かかる取材段階で生成・編集されたメタデータを，光ディスク６０に映像コンテンツデータと関連付けて記録する。このように，撮像装置４０によって，映像コンテンツデータとその映像コンテンツデータに関連するメタデータとが記録された光ディスク６０は，編集用端末装置３０に提供される。
【００５５】
編集用端末装置３０は，例えば，パーソナルコンピュータなどの情報処理装置及びその周辺装置などで構成されており，編集部署に設けられる。この編集部署は，例えば，上記企画構成部署からの制作指示，シナリオや，取材段階で得た取材状況，撮影条件などに基づいて，上記撮像装置４０が記録した映像コンテンツデータを編集して，映像プログラムを完成させる部署である。
【００５６】
この編集用端末装置３０は，例えば，光ディスク６０などの記憶媒体に対して，上記各種のメタデータや映像コンテンツデータを記録再生可能な記録再生装置１００を備えている。このため，編集用端末装置３０は，例えば，光ディスク６０に記録された映像コンテンツデータを再生するとともに，この映像コンテンツデータを編集して，光ディスク６０等に再記録することができる。
【００５７】
より詳細には，この編集用端末装置３０は，例えば，上記撮像装置４０から，光ディスク６０等を介して映像コンテンツデータを取得することができる。また，編集用端末装置３０は，例えば光ディスク６０に記録されている映像コンテンツデータを，例えば，テイク毎に単独再生，或いは好適な順序で連続再生して表示することができる。さらに，編集用端末装置３０は，例えば，かかる映像コンテンツデータの編集処理を支援することができる。この編集処理は，例えば，粗編集処理と本編集処理とからなる。
【００５８】
粗編集処理とは，例えば，上記テイクごとに記録された複数の映像コンテンツデータの中から，本編集で使用すべき映像コンテンツデータを収集し，次いで，この中から必要な映像部分を選択（Ｌｏｇｇｉｎｇ）し，さらに，選択された映像部分に対応した編集開始位置（Ｉｎ点）または編集終了位置（Ｏｕｔ点）を例えばタイムコード等によって設定して，映像コンテンツデータの中から必要部分を抽出（Ｉｎｇｅｓｔｉｎｇ）する処理である。また，本編集処理とは，例えば，上記粗編集を経た複数の映像コンテンツデータを切り出して繋ぎ合わせ，最終的な画質調整等を施し，番組などで放映するための完全パッケージデータを作成する処理である。
【００５９】
さらに，この編集用端末装置３０は，記録再生装置１００を用いて，光ディスク６０から，上記映像コンテンツデータに関連付けて記録されている上記各種メタデータを読み出すことができる。さらに，編集用端末装置３０は，例えば，読み出したメタデータをモニタ等に表示して，編集スタッフに対して編集対象である映像コンテンツデータの属性，内容等を認識させることができる。さらに，この編集用端末装置３０は，例えば，上記編集処理に応じて，上記メタデータを編集したり，上記Ｉｎ点およびＯｕｔ点等などからなる編集結果メタデータを自ら生成したりすることも可能である。
【００６０】
さらに，このような編集用端末装置３０が備える記録再生装置１００は，本実施形態における特徴的な機能を有している。即ち，この記録再生装置１００は，光ディスク６０に記録されているメタデータを読み出し，読み出したメタデータから表示対象データを抽出し，この表示対象データを，光ディスク６０の表面に形成された情報表示領域に印字して表示させることができる。かかる記録再生装置１００の特徴的機能により，光ディスク６０の表面上に，ユーザによって視認および理解可能な態様で当該メタデータを表示させることができる。なお，この記録再生装置１００の詳細については後述する。
【００６１】
＜２．記憶媒体＞
次に，図２に基づいて，本実施形態にかかる記憶媒体の代表例である光ディスク６０について詳細に説明する。なお，図２は，本実施形態にかかる光ディスク６０を示す斜視図である。
【００６２】
図２に示すように，光ディスク６０は，例えば，上記撮像装置４０および記録再生装置１００などが読み書き可能なリムーバブル記録メディアである。この光ディスク６０は，本実施形態では，例えば，大容量（例えば数百ギガバイト）のデータを記憶することが可能な大容量・次世代光ディスクとして構成されているが，かかる例に限定されず，例えば，ＣＤ−ＲＷ，ＣＤ−Ｒ，ＤＶＤ−ＲＷ，ＤＶＤ−Ｒ，ＤＶＤ−ＲＡＭ，ＭＯ，ＰＤ等の各種の光ディスクであってもよい。
【００６３】
かかる光ディスク６０は，例えば，上記撮像装置４０にローディングされ，映像コンテンツデータとともに，この映像コンテンツデータに関連する上記各種のメタデータが記録される。一方，この光ディスク６０は，上記編集用端末装置３０の記録再生装置１００にローディングされ，当該映像コンテンツデータおよびメタデータが必要に応じて随時読み出される。
【００６４】
この光ディスク６０は，図２に示すように，例えば，各種情報を記憶する略円盤状のディスク体６２と，このディスク体６２を覆い囲んで保護するシェル６４と，このシェル６４の表面に装着されたメタデータ表示用シート６６と，から構成されている。
【００６５】
メタデータ表示用シート６６は，本実施形態にかかる特徴である情報表示領域として構成されている。このメタデータ表示用シート６６は，例えば，後述する記録再生装置１００の印字装置によってその表面にメタデータが印字されることにより，例えばメタデータ表示用のラベルとして機能する。
【００６６】
このメタデータ表示用シート６６は，図３に示すように，例えば，シェル６４の略中央部分に陥没して形成された例えば略矩形の設置スペース６４２に，接着剤などによって貼り付けられる。この設置スペース６４２は，例えば，メタデータ表示用シート６６に応じた形状で，メタデータ表示用シート６６の厚さに応じた分だけ陥没するように形成されてもよい。また，例えば，この設置スペース６４２の形成位置は，例えば，従来のシェル付き光ディスクにおいて，手書き用の紙製のラベルが貼り付けられていたスペースと，略同一な位置となるようにしてもよい。
【００６７】
かかるメタデータ表示用シート６６は，例えば，サーモリライトシートなどで構成されている。このサーモリライトシートは，例えば，感熱発色材料を利用した発色／消去が自在な発色型リライトシート（フィルム）であり，例えばクレジットカード，ポイントカード，会員カードなどに用いられている素材である。
【００６８】
より詳細には，図３に示すように，サーモリライトシートは，例えば，ＰＥＴなどで構成された基材層６６ａと，その上層にあるロイコ系，白濁系などの感熱発色材料を含むリライト層６６ｂと，最上部の保護層６６ｃなどから構成されている。このサーモリライトシートの厚さは，基材層６６ａなどの厚さに応じて異なるが，例えば，１００〜５００μｍなどである。かかるサーモリライトシートは，例えば，印字装置等による過熱の態様に応じて，鮮明で精細な文字，図形，画像などを発色あるいは消去することができる。このサーモリライトシートの発色は，例えば，白地に青，赤，クロ，銀地に白濁などといった単色での発色や，複数色を用いたカラー発色などであってもよい。さらに，このサーモリライトシートは，例えば，上記発色により表示した内容を，例えば数百回以上書き換え可能である。
【００６９】
従って，かかるサーモリライトシートなどで構成されたメタデータ表示用シート６６は，その表面側に，後述する印字装置によって，メタデータ（表示対象データ）が印字されるので，かかるメタデータを外部から視認可能な態様で好適に表示することができる。さらに，このメタデータ表示用シート６６は，上記リライトシートの特性により，表示するメタデータの内容を迅速かつ容易に書き換えることができる。
【００７０】
さらに，このように書き換えるデータ量を低減すべく，例えば，上記サーモリライトシートの基材層６６ａなどに，予め，書き換える必要のない定型枠，模様，図形，またはメタデータの見出し等の文字などを印刷しておいてもよい。これにより，これらの書き換える必要のないデータは，印字装置による印字の有無に関わらず，メタデータ表示用シート６６上に常に表示されることとなる。このため，印字装置による最初の印字処理または書き換え処理の対象が，随時更新され得るメタデータだけで済むので，当該印字装置の印字処理効率が向上するとともに，メタデータ表示用シート６６の寿命を延ばすこともできる。
【００７１】
また，メタデータ表示用シート６６は，例えば，容易に交換可能である。即ち，  メタデータ表示用シート６６は，多数回の書き換えなどにより寿命となったとき，あるいは破損したときなどは，簡単に光ディスク６０から剥離して，新しいものに貼りかえることができる。
【００７２】
＜３．情報処理装置＞
次に，図４に基づいて，本実施形態にかかる情報処理装置の構成例である記録再生装置１００について詳細に説明する。なお，図４は，本実施形態にかかる記録再生装置１００の構成を概略的に示すブロック図である。
【００７３】
記録再生装置１００は，例えば，光ディスク６０に対して映像コンテンツデータおよびメタデータを読み書きするディスク装置である。より具体的には，記録再生装置１００は，光ディスク６０に記録されている映像コンテンツデータを再生して，上記編集用端末装置３０のモニタに表示させるとともに，編集用端末装置３０の編集処理の結果生じた編集後の映像コンテンツデータを，元の光ディスク６０あるいは別の光ディスク６０等に記録する機能を有する。さらに，記録再生装置１００は，例えば，光ディスク６０に記録されている上記映像コンテンツデータに関連する各種のメタデータを読み出し，このメタデータから表示対象データを抽出し，光ディスク６０のメタデータ表示用シート６６に印字する機能も有する。
【００７４】
以下に，かかる記録再生装置１００を構成する各部について詳細に説明する。
【００７５】
図４に示すように，記録再生装置１００は，外部ビデオインタフェース１０２と，ビデオ圧縮／伸張部１０３と，ビデオインタフェース１０４と，データバス１１１と，操作部インタフェース１０５と，操作部１０６と，外部オーディオインタフェース１０７と，オーディオプロセッサ１０８と，オーディオインタフェース１０９と，ＣＰＵ１１０と，記憶部１１２と，通信部１１３と，ＬＣＤ表示部１１４と，ＬＣＤ表示インターフェイス１１５と，記録再生ブロック１２０と，印字装置１３０と，印字制御部１３２と，印字装置インターフェイス１３４と，メタデータ処理部１４０と，から構成される。
【００７６】
外部ビデオインタフェース１０２は，映像コンテンツデータのうち映像データを，外部（編集用端末装置３０など）に転送するための媒体として，或いは，外部から転送されてくる映像データをビデオ圧縮／伸張部１０３に転送するための媒体として機能する。
【００７７】
ビデオ圧縮／伸張部１０３は，映像データを，例えばモーションＪＰＥＧ，ＭＰＥＧ１，ＭＰＥＧ２−ＴＳ，またはＭＰＥＧ２−ＰＳ方式などに基づき，圧縮処理（エンコード処理）又は伸張処理（デコード処理）する。また，ビデオインタフェース１０４は，データバス１１１と上記ビデオ圧縮／伸張部１０３との間で，上記圧縮／伸張された映像データを転送するための媒体として機能する。
【００７８】
操作部１０６は，例えば，ボタン，レバー，ダイヤル，キーボード，マウスなどの操作手段である。編集部署担当者などは，この操作部１０６を操作することにより，記録再生装置１００に対して，例えば映像コンテンツデータの再生／記録処理などの各種処理動作を実行するよう指示を与えたり，メタデータの抽出，新規生成，編集，レイアウト調整，印字などの処理を指示したりできる。また，操作部インタフェース１０５は，上記操作部１０６の操作により生成される動作指示信号をデータバス１１１に転送するための媒体として機能する。
【００７９】
外部オーディオインタフェース１０７は，映像コンテンツデータのうち音声データを，外部（編集用端末装置３０など）に転送するための媒体として，或いは，外部から転送されてくる音声データをオーディオプロセッサ１０８に転送するための媒体として機能する。
【００８０】
オーディオプロセッサ１０８は，例えば，音声データのＡ／Ｄ変換及び音声調整などを行い，必要に応じて音声データを圧縮する。オーディオインタフェース１０９は，データバス１１１とオーディオプロセッサ１０８との間で，上記音声データを転送するための媒体として機能する。
【００８１】
ＣＰＵ１１０は，例えば，中央演算処理装置などで構成された制御部であり，記録再生装置１００の各部の処理・命令等を制御することができる。例えば，このＣＰＵ１１０は，記憶部１１２などに格納された各種プログラムを起動させ，その動作を制御することができる。
【００８２】
記憶部１１２は，メタデータおよび映像コンテンツデータ等のデータや，プログラム等を一時記録または格納することが可能な記憶用デバイスである。この記憶部１０４は，例えば，各種のＲＡＭ（Ｒａｎｄｏｍ  Ａｃｃｅｓｓ  Ｍｅｍｏｒｙ）およびＲＯＭ（Ｒｅａｄ  Ｏｎｌｙ  Ｍｅｍｏｒｙ），ハードディスクなどで構成される。
【００８３】
通信部１１３は，例えば編集用端末装置３０との間で上記各種のメタデータなどを送受信する。
【００８４】
ＬＣＤ表示部１１４は，液晶ディスプレイ装置などの表示手段であり，再生処理，記録処理，巻き戻し処理，早送り処理などの処理状況の表示，タイムコード，上記メタデータなどを表示する。ＬＣＤ表示インターフェイス１１５は，データバス１１１から上記ＬＣＤ表示部１１４に，上記表示される各種データを転送するための媒体として機能する。
【００８５】
記録再生ブロック１２０は，例えば，光ディスク６０に記録された映像コンテンツデータの再生処理や，メタデータの読み出し処理をする。さらに，記録再生ブロック１２０は，編集された映像コンテンツデータや，映像コンテンツデータの編集処理などに伴って編集されたメタデータを，光ディスク６０に記録することも可能である。
【００８６】
この記録再生ブロック１２０は，例えば，ドライブインタフェース１２１と，映像コンテンツデータ及びメタデータのデータ形式を光ディスク６０に記録／再生するためのデータ形式に変換するデータプロセッサ１２２と，光ディスク６０に対して映像コンテンツデータ及びメタデータを読み／書きするためのレーザー発生及び受光部（図示せず。）を制御するピックアップコントロール１２３と，光ディスク６０をローディング／アンローディングするローディングメカニズム１２４と，ローディングメカニズム１２４を制御するローディングメカニズムコントローラ１２５と，ローディングメカニズムコントローラ１２５とバス１１１との間で制御信号をやり取りするためのメカニズムインタフェース１２６と，から構成されている。
【００８７】
印字装置１３０は，本実施形態にかかるライト部として構成されている。この印字装置１３０は，例えば，上記サーモリライトシートに対応した感熱式のライター装置などで構成されており，後述するメタデータ処理部１４０によって抽出されたメタデータである表示対象データを，上記光ディスク６０のメタデータ表示用シート６６上に印字することができる。
【００８８】
具体的には，この印字装置１３０は，例えば，印字用ヘッド（図示せず。）とメタデータ表示用シート６６とを好適に相対移動させながら，当該印字用ヘッドを用いてメタデータ表示用シート６６を部分的に過熱冷却する。これにより，例えば，メタデータ表示用シート６６を構成するサーモリライトシート内の感熱発色材料が，発色（染料と顕色剤が結合）あるいは消去（染料と顕色剤が分離）するように作用し，この結果，メタデータ表示用シート６６上には，上記表示対象データが好適に表示される。
【００８９】
このような印字装置１３０が印字処理を実行するタイミングは，例えば，光ディスク６０がローディングされた直後のタイミング，編集用部署担当者などによって指示されたタイミング，或いは光ディスク６０のアンローディングがなされる直前のタイミングなど，任意のタイミングに設定することができる。
【００９０】
また，印字装置１３０は，上記のような消去および印字処理を繰り返すことにより，メタデータ表示用シート６６上の表示対象データを複数回にわたり書き換えることができる。この書き換え処理のタイミングも，上記印字処理のタイミングと同様に，任意のタイミングに設定することができる。
【００９１】
印字制御部１３２は，ＣＰＵ１４０からの指示に基づいて，印字装置１３０の動作を制御する。例えば，この印字制御部１３２は，印字すべき表示対象データを読み込んで，一旦，バッファに保持するとともに，この保持している表示対象データを好適なタイミングで上記印字装置１３０に出力することができる。また，印字装置インターフェイス１３４は，データバス１１１から上記印字制御部１３２に，上記表示対象データや制御信号を転送するための媒体として機能する。
【００９２】
メタデータ処理部１４０は，記録再生装置１００内で取り扱われるメタデータに関する各種の処理を行う。ここで，図５に基づいて，このメタデータ処理部１４０の構成について詳細に説明する。なお，図５は，本実施形態にかかるメタデータ処理部１４０の構成を概略的に示すブロック図である。
【００９３】
図５に示すように，メタデータ処理部１４０は，例えば，メタデータ抽出部１４２と，メタデータコード化部１４４と，メタデータ編集部１４６と，サムネール画像抽出部１４８と，印字レイアウト調整部１４９と，を備える。
【００９４】
メタデータ抽出部１４２は，本実施形態にかかる抽出部として構成されており，光ディスク６０に記録されているメタデータを，自動的に或いはユーザ入力に応じて，検索，読み出し，抽出することができる。
【００９５】
具体的には，メタデータ抽出部１４２は，例えば，光ディスク６０が記録再生装置１００にローディングされると，記録再生ブロック１２０を動作させて，光ディスク６０の記憶領域内を例えば自動的に検索し，メタデータの有無およびその記憶位置等を検出することができる。また，メタデータ抽出部１４２は，検出したメタデータの全部または一部を読み出すことができる。
【００９６】
また，メタデータ抽出部１４２は，読み出したメタデータの全部または一部を，ＬＣＤ表示部１１４及び／又は編集用端末装置３０のモニタ等に表示させることもできる。この表示を行う際には，例えば，編集部署担当者等がメタデータの内容を閲覧しやすいように，読み出したメタデータを必要に応じて加工，選別，分類，レイアウト調整などするようにしてもよい。具体例を挙げると，光ディスク６０に記録されているメタデータのうち，映像プログラムのタイトルおよびＩＤのみを表形式で表示するよう表示制御することなどができる。
【００９７】
さらに，メタデータ抽出部１４２は，例えば，光ディスク６０に記録されているメタデータなどの中から，メタデータ表示用シート６６に表示させたい表示対象データを抽出することができる。この抽出処理は，例えば，担当者などによって予め設定された抽出条件に従って，メタデータ抽出部１４２が自動抽出するようにしてもよい。あるいは，例えば，光ディスク６０からメタデータを読み出す度に，担当者の選択指示に基づいてマニュアル抽出するようにしてもよい。
【００９８】
ここで，図６に基づいて，このマニュアル抽出処理について，より詳細に説明する。なお，図６は，本実施形態にかかるマニュアル抽出処理を説明するための説明図である。
【００９９】
メタデータ抽出部１４２は，例えば，マニュアル抽出処理の指示があると，図６に示すように，例えば，編集用端末装置３０のモニタ３００上にメタデータ抽出用ウインドウ３０２を生成し，この抽出用ウインドウ３０２内に，選択可能なメタデータの種類を一覧表示させる。担当者は，かかる一覧表示を閲覧して，複数種類のメタデータの中から，メタデータ表示用シート６６に表示させたいメタデータ（即ち，表示対象データ）を，例えばチェックリスト形式で選択することができる。図６の例では，「ＩＤ」，「タイトル」，「カメラマン」，「取材メモ」，「バーコード」，「サムネール」に関するメタデータが選択されている。この選択により，表示されるメタデータが決定される。
【０１００】
メタデータ抽出部１４２は，このようにマニュアルで選択されたメタデータ，または上記既設定の抽出条件に基づき自動的に選択したメタデータなどを，表示対象データとして抽出する。なお，この表示対象データの抽出元としては，上記のような光ディスク６０に記録されているメタデータだけでなく，例えば，後述するメタデータ編集部１４６で編集されたメタデータや，外部から他の記憶媒体（メモリーカード７等）を介して提供されたメタデータなどを含んでもよい。
【０１０１】
メタデータコード化部１４４は，例えば，上記のようにして抽出した表示対象データの少なくとも一部を，例えばバーコード形式などにコード化できる。このコード化の対象となる表示対象データとしては，例えば，上述した全てのメタデータが可能であるが，特に，例えば，上記制作指示メタデータ（例えば，映像プログラムＩＤ，または取材ＩＤ等）や，コンテンツ識別メタデータ（例えば，ＵＭＩＤ，または映像コンテンツデータのファイル名等）などが好適である。
【０１０２】
メタデータ編集部１４６は，例えば，上記のような編集用端末装置３０による映像コンテンツデータの編集処理内容に応じて，メタデータを編集することができる。例えば，メタデータ編集部１４６は，映像コンテンツデータの粗編集処理結果に基づいて，上記Ｉｎ点およびＯｕｔ点等などからなる編集結果メタデータを新規生成することができる。また，メタデータ編集部１４６は，例えば，既存のメタデータを取捨選択，組み合わせ，上書きすることで，メタデータを更新することができる。このように，メタデータ編集部１４６によって編集されたメタデータは，例えば，光ディスク６０に再度，記録されてもよいし，或いは，記憶部１１２などに記憶されてもよい。
【０１０３】
サムネール画像抽出部１４８は，例えば，上記映像コンテンツデータにおける代表的な静止画像の位置（タイムコードなど）を表すメタデータに基づいて，映像コンテンツデータからサムネール画像データを抽出する。このサムネール画像データは，画像データではあるものの，当該光ディスク６０内の映像コンテンツデータの概要を，視覚的に容易に把握する上で有用なメタデータである。従って，上記メタデータ抽出部１４２は，例えば，このサムネール画像データも上記表示対象データとして抽出する。
【０１０４】
印字レイアウト調整部１４９は，上記メタデータ表示用シート６６に印字される表示対象データのレイアウトを調整することができる。
【０１０５】
ここで，図７に基づいて，このレイアウト調整処理について，より詳細に説明する。なお，図７は，本実施形態にかかるレイアウト調整処理を説明するための説明図である。
【０１０６】
図７に示すように，印字レイアウト調整部１４９は，例えば編集用端末装置３０のモニタ３００上に，印字レイアウト調整用ウインドウ３０４を生成し，この印字レイアウト調整用ウインドウ３０４内に，表示対象データの印字予定のレイアウト態様を表示させる。なお，この印字レイアウト調整用ウインドウ３０４の生成・表示処理は，例えば，上記表示対象データの抽出が完了した場合に，印字レイアウト調整部１４９が自動的に行ってもよいし，或いは担当者からの要請があった場合にのみ実行するようにしてもよい。
【０１０７】
担当者は，かかる調整用ウインドウ３０４内のレイアウト態様を閲覧しながら，表示対象データ同士の位置関係の調整や，個々の表示対象データのフォント調整，色調整，罫線の描画処理などといった印字レイアウト調整を行うことができる。なお，かかる印字レイアウト調整処理は，例えば，印字レイアウト調整部１４９が，予め設定された基本レイアウトパターンに基づいて自動的に行ってもよい。
【０１０８】
上記のようにして印字レイアウト調整された表示対象データは，例えば，記憶部１１２に記憶され，印字開始条件が整った時点などで印字制御部１３２に出力される。
【０１０９】
以上，メタデータ処理部１４０の各部について説明した。このメタデータ処理部１４０は，必ずしも，記録再生装置１００が具備しなくてもよく，例えば，編集用端末装置３０が具備してもよい。
【０１１０】
また，上記メタデータ処理部１４０は，上記のような処理機能を実現できるものであれば，例えば，専用装置（ハードウェア）として構成されてもよく，また，記録再生装置１００または編集用端末装置３０に，上記処理を実行させるアプリケーションプログラムをインストールして構成されてもよい。さらに，後者の場合，上記アプリケーションプログラムは，記録再生装置１００または編集用端末装置３０に対して，ＣＤ−ＲＯＭ等の記憶媒体によって提供されてもよく，或いは，予め上記記憶部１１２，或いは通信部１１３等に接続された周辺機器などに格納されていてもよい。
【０１１１】
以上説明したようなメタデータ処理部１４０の処理により，印字装置１３０は，必要なメタデータを好適なレイアウトで，上記メタデータ表示用シート６６に印字することができる。
【０１１２】
ここで，図８および図９に基づいて，印字装置１３０によってメタデータ表示用シート６６に印字されたメタデータ（即ち，表示対象データ）の表示態様について説明する。なお，図８および図９は，本実施形態にかかる印字装置１３０によってメタデータ表示用シート６６に印字されたメタデータの表示例を示す説明図である。
【０１１３】
まず，図８に示す例では，光ディスク６０の表面に装着されたメタデータ表示用シート６６上には，例えば，テキストベースのメタデータ４００と，バーコード４０２と，サムネール画像４０４とが表示されている。
【０１１４】
テキストベースのメタデータ４００は，例えば，当該光ディスク６０に記録されている映像コンテンツデータに対応する「ＩＤ：２００３−２０」，「タイトル：日本百名山」，「カメラマン：山田」，…などのメタデータである。このように，メタデータをテキスト表示することにより，光ディスク６０の管理担当者は，当該光ディスク６０のコンテンツ情報を，容易かつ明確に視認できる。このため，複数の光ディスク６０の中から，目的の映像コンテンツデータを記録している光ディスク６０を，容易かつ迅速に見つけだすことができる。さらに，かかるテキストベースのメタデータ４００は，上記印字装置１３０によって自動的に表示されるため，管理担当者は従来のようにメタデータを手書きする必要がないので，便利かつ確実である。
【０１１５】
また，バーコード４０２は，上記のようにコンテンツ識別メタデータなどをバーコード化したものである。このようにメタデータをバーコード化して表示することにより，例えば，バーコード用リーダー装置等を用いて，メタデータ表示用シート６６に表示されているバーコード４０２を迅速かつ正確に読み取ることが可能となる。このように，メタデータ表示用シート６６からバーコード４０２を機械的に読み取って，解釈することにより，当該光ディスク６０のコンテンツ，保存場所などを確実に特定できる。このため，管理担当者による光ディスク６０の検索・編集・管理がより一層確実になる。さらに，上記バーコード４０２で特定される映像コンテンツデータに関するその他のメタデータであって，上記テキストベースのメタデータ４００として表示されていないメタデータを，光ディスク６０などから迅速に読み出すこともできる。
【０１１６】
また，サムネール画像４０４は，当該光ディスク６０に記録されている映像コンテンツの代表画である。かかるサムネール画像４０４をメタデータ表示用シート６６に表示することにより，管理担当者に対して光ディスク６０のコンテンツ情報を視覚的にアピールできる。このため，管理担当者は，かかるサムネール画像４０４を一瞥しただけで，当該光ディスク６０に記録されている映像コンテンツデータの内容を，容易かつ迅速に把握できる。
【０１１７】
また，図９に示す例では，光ディスク６０のメタデータ表示用シート６６上には，例えば，「ＵＭＩＤ」４１０と，「Ｉｎ点」４１２および「Ｏｕｔ点」４１４を表すタイムコードと，「取材メモ」４１６のメタデータが，テキストベースで表示されている。
【０１１８】
かかる表示が成されるのは，光ディスク６０内に，粗編集処理後の複数のテイクの映像コンテンツデータが記録されている場合である。例えば「ＵＭＩＤ」４１０が「ＡＢＣＤ」であるテイクの映像コンテンツデータに関しては，粗編集によって切り出された範囲が，「Ｉｎ点」４１２の「１２：３４：５６：１０」から「Ｏｕｔ点」４１４の「１２：３７：４４：２０」までの範囲であることが分かる。また，「取材メモ」４１６を参照すれば，このテイクの映像コンテンツデータが，「安保理会議シーン」に関する内容であることが分かる。
【０１１９】
このように，粗編集完了後の映像コンテンツデータに関するメタデータを，メタデータ表示用シート６６上に一覧表示することにより，編集担当者は，当該光ディスク６０に記録されている映像コンテンツデータの数，順番，時間長，内容などを，的確に把握できる。
【０１２０】
＜４．メタデータ表示方法＞
次に，上記のような構成の光ディスク６０および記録再生装置１００を利用したメタデータ表示方法について説明する。以下では，記録再生装置１００が自動的にメタデータを光ディスク６０表面上に表示する場合と，記録再生装置１００が，担当者の入力に基づいて，半自動的にメタデータを光ディスク６０表面上に表示する場合と，の２つの表示方法例について説明する。
【０１２１】
＜４．１  メタデータ自動表示方法＞
まず，図１０に基づいて，記録再生装置１００を用いて光ディスク６０表面上にメタデータを自動的に表示する方法について説明する。なお，図１０は，本実施形態にかかるメタデータ自動表示方法を示すフローチャートである。
【０１２２】
図１０に示すように，まず，ステップＳ１００では，光ディスク６０が記録再生装置１００にローディングされる（ステップＳ１００）。
【０１２３】
次いで，ステップＳ１０８では，光ディスク６０に記憶されているメタデータの中から，メタデータ表示用シート６６に表示させる表示対象データが自動抽出される（ステップＳ１０８）。記録再生装置１００のメタデータ抽出部１４２は，記録再生ブロック１２０を利用して，ローディングされた光ディスク６０内を検索し，メタデータの有無およびその種類を検出する。次いで，検出されたメタデータの中から，予め設定された抽出条件に基づいて，表示対象データを抽出する。この抽出条件の具体例としては，例えば，特定の種類のメタデータ（例えば，「ＩＤ」，「タイトル」，「カメラマン」，「場所」，「取材メモ」，「サムネール画像の位置」に関するメタデータ）のみを常に抽出するなどである。かかる抽出条件が担当者によって予め設定されていることにより，メタデータ抽出部１４２は，光ディスク６０のローディングが起こった場合などに，上記表示対象データの抽出処理を自動的に行うことができる。
【０１２４】
さらに，ステップＳ１１０では，抽出された表示対象データの少なくとも一部がコード化される（ステップＳ１１０）。メタデータコード化部１４４は，例えば，担当者によってコード化処理がオンモードに設定されており，かつ，上記のようにして抽出された表示対象データの中に，担当者によって予め設定されたコード化すべき表示対象データ（「ＵＭＩＤ」，「取材ＩＤ」等）が存在する場合には，当該表示対象データを自動的に例えばバーコード形式に変換する。
【０１２５】
その後，ステップＳ１１２では，サムネール画像データが抽出される（ステップＳ１１２）。サムネール画像抽出部１４８は，例えば，上記ステップＳ１０８で「サムネール画像の位置」に関するメタデータが抽出されている場合には，例えば当該メタデータが表すタイムコード情報などに基づいて，対応する映像コンテンツデータからサムネール画像データを，表示対象データとして自動的に抽出する。
【０１２６】
次いで，ステップＳ１１４では，表示対象データの印字レイアウトが自動調整される（ステップＳ１１４）。印字レイアウト調整部１４９は，上記ステップＳ１４４およびステップＳ１４８で抽出された表示対象データについて，メタデータ表示用シート６６に印字される際のレイアウトを自動的に調整する。このとき，印字レイアウト調整部１４９は，例えば，予め担当者によって設定されているレイアウトパターンの中から，抽出されたメタデータの種類や数等に応じた好適なレイアウトパターンを選択し，かかるレイアウトパターンに基づいて，上記印字レイアウト調整を自動的に行うことができる。
【０１２７】
さらに，ステップＳ１１６では，光ディスク６０のメタデータ表示用シート６６に表示対象データが印字される（ステップＳ１１６）。印字装置１３０は，上記のように調整された印字レイアウトに基づいて，上記抽出された表示対象データをメタデータ表示用シート６６に印字する。これにより，メタデータ表示用シート６６には，図７に示したように，必要なメタデータが好適に表示される。
【０１２８】
その後，ステップＳ１１８では，光ディスク６０が記録再生装置１００からアンローディングされる（ステップＳ１１８）。この結果，記録再生装置１００から取り出された光ディスク６０の表面には，当該光ディスク６０内に記録されているメタデータの一部または全部が好適に表示される。これにより，担当者は，かかるメタデータを視認して，この光ディスク６０内に記録されている映像コンテンツデータの内容を容易かつ的確に把握できる。
【０１２９】
以上のようなメタデータ自動表示方法により，光ディスク６０を記録再生装置１００に挿入するだけで，光ディスク６０に記録されているメタデータを，当該光ディスク６０の表面上に自動的に表示させることができる。
【０１３０】
＜４．２  メタデータ半自動表示方法＞
次に，図１１に基づいて，記録再生装置１００を用いて光ディスク６０表面上にメタデータを半自動的に表示する方法について説明する。なお，図１１は，本実施形態にかかるメタデータ半自動表示方法を示すフローチャートである。
【０１３１】
図１１に示すように，まず，ステップＳ２００では，光ディスク６０が記録再生装置１００にローディングされる（ステップＳ２００）。
【０１３２】
次いで，ステップＳ２０２では，光ディスク６０に記憶されているメタデータが読み出される（ステップＳ２０２）。例えば，メタデータ抽出部１４２は，記録再生ブロック１２０を利用して，ローディングされた光ディスク６０内を検索して，メタデータの有無およびその種類を検出する。次いで，検出されたメタデータの中から，編集用端末装置３０での編集処理などで用いられるメタデータを必要に応じて読み出す。
【０１３３】
さらに，ステップＳ２０４では，メタデータが編集される（ステップＳ２０４）。メタデータ編集部１４６は，例えば，映像コンテンツデータの編集処理内容に応じて，当該映像コンテンツデータに関するメタデータを新規生成したり，既存のメタデータを更新したりする。このようにメタデータ編集部１４６は，光ディスク６０から読み出したメタデータなどを編集することができる。なお，本ステップは，必須の工程ではない。
【０１３４】
その後，ステップＳ２０６では，印字指示が成される（ステップＳ２０６）。ユーザは，例えば，記録再生装置１００の操作部１０６または編集端末装置３０の操作部を操作して，光ディスク６０に記録されているメタデータ，及び／又は上記ステップＳ２０４で編集されたメタデータを，光ディスク６０のメタデータ表示用シート６６に印字するよう指示する。記録再生装置１００は，例えば，かかる指示を受けてはじめて，メタデータの表示処理を開始する。この点において，本動作フローと，上述したメタデータ自動表示方法（ローディング時などに自動的に当該表示処理を開始する）とは相違する。
【０１３５】
次いで，ステップＳ２０８では，光ディスク６０に記憶されているメタデータ及び／又は上記ステップＳ２０４で編集されたメタデータ（選択可能なメタデータ）の中から，メタデータ表示用シート６６に表示させる表示対象データが，マニュアル抽出される（ステップＳ２０８）。本ステップでは，上記図６で説明したような，マニュアル抽出処理が行われる。このマニュアル抽出処理では，担当者によって，上記選択可能なメタデータの中から表示させたいメタデータが選択され，メタデータ抽出部１４２は，かかる選択に基づいて，表示対象データを抽出する。このようなマニュアル抽出処理により，担当者は，光ディスク６０に表示させたいメタデータを自由に選択することができる。
【０１３６】
さらに，ステップＳ２１０では，抽出された表示対象データの少なくとも一部がコード化される（ステップＳ２１０）。本ステップは，上述した図１０のステップＳ１１０と略同一であるので，詳細説明は省略する。
【０１３７】
その後，ステップＳ２１２では，サムネール画像データが抽出される（ステップＳ２１２）。本ステップは，上述した図１０のステップＳ１１２と略同一であるので，詳細説明は省略する。
【０１３８】
次いで，ステップＳ２１４では，表示対象データの印字レイアウトがマニュアル調整される（ステップＳ２１４）。本ステップでは，上記図７で説明したような，マニュアル印字レイアウト調整処理が行われる。このマニュアル印字レイアウト調整処理では，担当者が，印字レイアウト調整用ウインドウ３０４を閲覧しながら，表示対象データ同士の位置関係の調整や，個々の表示対象データのフォント調整，色調整，罫線などを，自己の所望する態様に調整する。印字レイアウト調整部１４９は，かかる担当者の調整に基づいて，印字レイアウト調整した表示対象データを，記憶部１１２などに出力する。このようなマニュアル印字レイアウト調整処理により，担当者は，光ディスク６０に表示されるメタデータのレイアウトを自由に調整することができる。
【０１３９】
さらに，ステップＳ２１６では，光ディスク６０のメタデータ表示用シート６６に表示対象データが印字される（ステップＳ２１６）。本ステップは，上述した図１０のステップＳ１１６と略同一であるので，詳細説明は省略する。
【０１４０】
その後，ステップＳ２１８では，光ディスク６０が記録再生装置１００からアンローディングされる（ステップＳ２１８）。本ステップは，上述した図１０のステップＳ１１８と略同一であるので，詳細説明は省略する。
【０１４１】
以上のようなメタデータ半自動表示方法により，光ディスク６０に記録されているメタデータのうち担当者が所望するメタデータのみを，所望するレイアウトで，当該光ディスク６０の表面上に半自動的に表示させることができる。
【０１４２】
＜５．変更例＞
次に，図１２に基づいて，本実施形態にかかる光ディスク６０の変更例について説明する。なお，図１２は，本実施形態の変更例にかかる光ディスク６０’の構成を示す説明図である。
【０１４３】
上記では，本実施形態にかかる記憶媒体として，シェル付きの光ディスク６０の例を挙げて説明したが，光ディスク６０の構成は，かかる例に限定されない。例えば，図１２に示すようなシェル無しの光ディスク６０’であっても好適に対応できる。
【０１４４】
この光ディスク６０’は，ディスク体がむき出しとなっているタイプの光ディスクであり，現状ではＣＤーＲＷ，ＤＶＤーＲＷなどに多用されているものである。このような光ディスク６０’上にメタデータを表示するべく，例えば，図１２（ａ）に示すように，略ドーナツ型に成形されたメタデータ表示用シート６６’を，光ディスク６０’の非記録面側に直接貼り付けるように構成してもよい。
【０１４５】
かかる構成により，記録再生装置１００が，上記と同様な手法で，光ディスク６０’に記録差されているメタデータから表示対象データを抽出し，この表示対象データをメタデータ表示用シート６６’に印字することができる。この結果，図１２（ｂ）に示すように，光ディスク６０’のメタデータ表示用シート６６’に，例えば，テキストベースのメタデータや，サムネール画像，バーコードなどを，光ディスク６０’の丸い形状に応じた好適な態様で表示させることができる。
【０１４６】
以上説明したように，上記第１の実施形態にかかる光ディスク６０，記録再生装置１００およびこれらを用いたメタデータ表示方法によれば，映像コンテンツデータと，この映像コンテンツデータに関連するメタデータとが記録された光ディスク６０から，当該メタデータを抽出して，当該光ディスク６０に装着されたメタデータ表示用シート６６に印字することができる。これにより，光ディスク６０の表面上に，その内部に記録されているメタデータの内容を，担当者が一見して意味内容を理解できるような情報として，直接的に表示できる。このため，本実施形態にかかるメタデータ表示手法では，従来のバーコードやＩＣメモリのみを記憶媒体に取り付ける手法とは異なり，記憶媒体を外部から観察するだけで，そのコンテンツ情報を的確に把握することができる。また，メタデータ表示用シート６６にサムネール画像も表示することができるので，光ディスク６０内の映像コンテンツデータの内容をより容易に理解できる。これらにより，担当者は，光ディスク６０を迅速かつ容易に，識別，探索することができる。
【０１４７】
また，記録再生装置１００を用いて，自動的または半自動的にメタデータを光ディスク６０に表示できるので，当該表示作業が非常に迅速かつ容易になる。このため，従来のように手書きでラベル表示したり，データベースに手動で入力したりする手間と時間を大幅に低減して，省力化，効率化を図ることができる。加えて，手書きでラベル表示する場合における書き間違えや，データベースに手動で入力する際の入力ミスが生じることもないので，メタデータの正確性を確保することもできる。
【０１４８】
さらに，映像コンテンツデータに関連するメタデータを光ディスク６０のみに一元管理することができる。即ち，従来のように，手書きのラベルまたは印字されたラベルと，バーコートまたはＩＣメモリ用のデータベースとの併用というように，メタデータを二元管理することがない。従って，メタデータの管理を効率的かつ正確，容易に行うことができる。
【０１４９】
また，メタデータ表示用シート６６は，例えば数百回以上書き換え可能であるので，従来のようにラベルの貼り付け／剥離を繰り返す必要もない。また，メタデータ表示用シート６６にバーコード等のコード化されたデータも表示することができるので，機械的な方法によっても光ディスク６０およびその内容の識別，特定が可能になる。
【０１５０】
以上により，光ディスク６０等の記憶媒体の運用および管理が，非常に効率的かつ容易になる。
【０１５１】
以上，添付図面を参照しながら本発明の好適な実施形態について説明したが，本発明はかかる例に限定されない。当業者であれば，特許請求の範囲に記載された技術的思想の範疇内において各種の変更例または修正例に想到し得ることは明らかであり，それらについても当然に本発明の技術的範囲に属するものと了解される。
【０１５２】
例えば，上記実施形態にかかる記憶媒体は，光ディスク６０で構成されていたが，本発明は，かかる例に限定されない。記憶媒体は，各種の情報処理装置で読み書き可能な任意の媒体であってよく，例えば，例えば，ハードディスク，フレキシブルディスク，磁気テープ（ビデオテープ等），磁気ディスク若しくは磁気カード等の磁気記憶媒体や；ＣｏｍｐａｃｔＦｌａｓｈ，ＳｍａｒｔＭｅｄｉａ（登録商標）、ＳＤメモリーカード、メモリースティック、ＭＭＣ、ｘＤピクチャーカード等のメモリーカード；ＭＯ等の光磁気ディスク；ＩＣカード；写真用フィルム；フラッシュメモリ等の各種のＲＡＭ，ＲＯＭなどであってもよい。
【０１５３】
ここで，図１３に基づいて，記憶媒体の変更例である，ビデオテープ８０と，メモリーカード７０と，写真用フィルム９０について説明する。
【０１５４】
図１３（ａ）に示すように，ビデオテープ９０は，例えば，シェルの表面に比較的大きいメタデータ表示用シート８６ａが貼り付けられ，背表紙となる面に比較的小さいメタデータ表示用シート８６ｂが貼り付けられている。メタデータ表示用シート８６ａには，上記図８で説明したのと同様に，各種のテキストベースのメタデータ，バーコード，サムネール画像が表示されている。ユーザは，かかるメタデータ表示用シート８６ａを閲覧することにより，ビデオテープ９０に記録されている映像コンテンツデータのコンテンツ情報を詳細に認識できる。一方，メタデータ表示用シート８６ｂには，映像コンテンツデータのタイトル名である「日本百名山」なる文字のみが表示されている。これにより，例えば，複数のビデオテープ９０を収納棚などに並べて収納した際に，当該メタデータ表示用シート８６ｂが表示するタイトル名が外部から視認可能に表れるので，担当者は，当該ビデオテープ９０を容易に見つけだすことができる。
【０１５５】
また，図１３（ｂ）に示すように，メモリーカード７０は，シェルの表面にメタデータ表示用シート７６が貼り付けられている。このメモリーカード７０が記録するコンテンツデータは，上記映像コンテンツデータに限られず，例えば，音声コンテンツデータ，デジタルカメラ用静止画データ，各種の文書コンテンツデータ，図形コンテンツデータなど，一般にコンピュータが取り扱い可能な全てのコンテンツデータが含まれる。図１３（ｂ）の例では，デジタルカメラ用静止画データが記録されており，メタデータ表示用シート７６には，当該デジタル写真を撮像した「カメラマン」，「場所」，「日付」などが表示されている。これにより，例えば，デジタルカメラのユーザは，当該メモリーカードにいかなるデジタルカメラ用静止画データが記録されているかを，容易に認識することができる。
【０１５６】
また，図１３（ｃ）に示すように，写真用フィルム９０は，シェルの外周面に沿って湾曲したメタデータ表示用シート９６が貼り付けられている。この写真用フィルム９０が記録するコンテンツデータは，例えば，スチール写真データである。この写真用フィルム９０は，例えば，その内部のフィルム媒体におけるスチール写真データが記録されていない領域に，当該スチール写真データに関する各種のメタデータ（「撮像日時」，「撮像条件」，「撮影者」，「撮影場所」等）を記録することができる。そこで，メタデータ表示用シート９６が，かかるフィルム媒体に記録されているメタデータ表示することで，ユーザは当該写真用フィルム９０に記録されているスチール写真データの内容を，容易に認識することができる。
【０１５７】
また，上記実施形態にかかる情報処理装置は，編集用端末装置３０の記録再生装置１００として構成されていたが，本発明はかかる例に限定されない。情報処理装置は，上記各種の記憶媒体を取り扱い可能なあらゆる情報処理装置であってよい。情報処理装置としては，例えば，上記企画用端末装置１０，フィールドＰＣ５０若しくは編集用端末装置３０等に例示される各種のパーソナルコンピュータ；上記撮像装置４０に例示されるカムコーダ等のビデオカメラ，デジタルスチールカメラ，アナログスチールカメラなどの各種の撮像装置；企画用端末装置１０の記録再生装置１２等の各種の記録再生装置，記録専用装置，再生専用装置などのディスク装置（ＤＶＤプレーヤー，ＣＤプレーヤー，ＭＤプレーヤー，テープレコーダー，ＩＣレコーダー，ハードディスクドライブ，等を含む）；ＶＴＲ等の各種放送用機器；ＰＤＡ，携帯電話等の携帯通信端末；テレビ受像器，ラジオ，チューナー，デコーダなどの受信端末装置；各種情報家電；プリンタ，ＦＡＸ機器，固定電話機，など，が例示される。また，コンテンツデータも，映像コンテンツデータのみならず，これら各種の情報処理装置が取り扱い可能なあらゆるコンテンツデータを含む物とする。
【０１５８】
ここで，上記撮像装置４０が，上記のような印字装置１３０とメタデータ処理部１４０を有する場合について説明する。撮像装置４０は，撮像した映像コンテンツデータの撮影処理に伴い上記のような多様なメタデータを生成し，生成したメタデータを映像コンテンツデータと関連づけて，例えば光ディスク６０等の記憶媒体に記録することができる。かかる状態で，撮像装置４０は，例えば，メタデータ処理部１４０を機能させて，自身で記録したメタデータを再度，光ディスク６０から読み出して表示対象データ抽出し，この表示対象データを光ディスク６０のメタデータ表示用シート６６に印字・表示するように構成しても良い。かかる構成により，撮像装置４０は，例えば，光ディスク６０等の記憶媒体に記録したメタデータを，記憶媒体の表面に自動的に表示させることができる。
【０１５９】
また，上記実施形態では，記録再生装置１００が映像プログラム制作支援システム１の一構成要素となっている例について説明したが，本発明はかかる例に限定されない。情報処理装置は，例えば，何らかのシステムの一構成要素としてではなく，それ自体単独で使用されるものであってもよい。
【０１６０】
また，上記実施形態にかかるメタデータ表示用シート６６は，サーモリライトシートで構成されたが，本発明はかかる例に限定されない。メタデータ表示用シート６６は，書き換え可能であれば，例えば，着色した磁気粉を微少なカプセルに充填した磁気方式のリライトシートなど，任意のリライトシートで構成してもよい。
【０１６１】
また，上記実施形態では，記憶媒体（光ディスク６０）の表面にメタデータ表示用シート６６を貼り付けることにより，情報表示領域を形成したが，本発明はかかる例に限定されない。例えば，メタデータ表示シート６６と，光ディスク６０等の記憶媒体のシェルあるいはディスク体自体などとを一体形成して，情報表示領域を構成してもよい。また，情報表示領域は，抽出されたメタデータを表示可能であれば，いかなる表示手段，表示媒体を用いてもよい。
【０１６２】
また，上記実施形態では，ライト部は，印字装置１３０で構成されたが，本発明はかかる例に限定されない。ライト部は，上記表示対象データを情報表示領域に表示させるものであればいかなる書き込み手段であってもよい。
【０１６３】
【発明の効果】
以上説明したように，本発明によれば，記憶媒体に記録されているコンテンツデータに関するメタデータを，担当者が視認可能な態様で，記憶媒体上に直接的かつ容易に表示できる。さらに，このメタデータ表示を容易に更新することができる。従って，記憶媒体およびその内部に記憶されているコンテンツ情報を，効率的に管理することができる。
【図面の簡単な説明】
【図１】図１は，第１の実施形態にかかる映像プログラム制作支援システムの概略的な構成を示すブロック図である。
【図２】図２は，第１の実施形態にかかる光ディスクを示す斜視図である。
【図３】図３は，第１の実施形態にかかる光ディスクにメタデータ表示用シートが装着される態様を示す斜視図である。
【図４】図４は，第１の実施形態にかかる記録再生装置の構成を概略的に示すブロック図である。
【図５】図５は，第１の実施形態にかかるメタデータ処理部の構成を概略的に示すブロック図である。
【図６】図６は，第１の実施形態にかかるマニュアル抽出処理を説明するための説明図である。
【図７】図７は，第１の実施形態にかかるレイアウト調整処理を説明するための説明図である。
【図８】図８は，第１の実施形態にかかる印字装置によってメタデータ表示用シートに印字されたメタデータの例を示す説明図である。
【図９】図９は，第１の実施形態にかかる印字装置によってメタデータ表示用シートに印字されたメタデータの別の例を示す説明図である。
【図１０】図１０は，第１の実施形態にかかるメタデータ自動表示方法を示すフローチャートである。
【図１１】図１１は，第１の実施形態にかかるメタデータ半自動表示方法を示すフローチャートである。
【図１２】図１２は，第１の実施形態の変更例にかかる光ディスクの構成を示す説明図である。
【図１３】図１３は，第１の実施形態の変更例にかかる記憶媒体である，ビデオテープと，メモリーカードと，写真用フィルムを示す斜視図である。
【符号の説明】
１  ：  映像プログラム制作支援システム
１０  ：  企画用端末装置
２０  ：  取材用端末装置
３０  ：  編集用端末装置
４０  ：  撮像装置
５０  ：  フィールドＰＣ／ＰＤＡ
６０  ：  光ディスク
６２  ：  ディスク体
６４  ：  シェル
６６  ：  メタデータ表示用シート
７０  ：  メモリーカード
１３０  ：  印字装置
１４０  ：  メタデータ処理部
１４２  ：  メタデータ抽出部
１４４  ：  メタデータコード化部
１４６  ：  メタデータ編集部
１４８  ：  サムネール画像抽出部
１４９  ：  印字レイアウト調整部
４００  ：  テキストベースのメタデータ
４０２  ：  バーコード
４０４  ：  サムネール画像
【図１】
2004280928.tif 000003
【図２】
2004280928.tif 000004
【図３】
2004280928.tif 000005
【図４】
2004280928.tif 000006
【図５】
2004280928.tif 000007
【図６】
2004280928.tif 000008
【図７】
2004280928.tif 000009
【図８】
2004280928.tif 000010
【図９】
2004280928.tif 000011
【図１０】
2004280928.tif 000012
【図１１】
2004280928.tif 000013
【図１２】
2004280928.tif 000014
【図１３】
2004280928.tif 000015